【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
画像形成対象となる複数のファイルが格納された画像形成装置と接続可能な情報処理装置であって、
前記画像形成装置に格納されているファイルの画像形成指示を受け付ける受付手段と、
前記画像形成装置が前記ファイルの形式を解釈可能である場合に、前記画像形成装置における該ファイルの格納場所を指定して前記画像形成装置に画像形成を指示し、前記画像形成装置が前記ファイルの形式を解釈可能でない場合に、前記画像形成装置が解釈可能な形式に変換したデータを前記画像形成装置に送信するとともに画像形成を指示する指示手段と
を備えることを特徴とする情報処理装置。
【請求項２】
前記画像形成指示を受け付けたファイルの形式を前記画像形成装置が解釈可能であるか否かを判定する判定手段と、
前記画像形成装置が解釈可能な前記ファイルの形式を予め記憶した記憶手段とをさらに備え、
前記判定手段は、
前記記憶手段に記憶された前記ファイルの形式の中に、前記画像形成指示を受け付けた前記ファイルの形式が含まれるか否かを判定することにより、前記画像形成指示を受け付けたファイルの形式を前記画像形成装置が解釈可能であるか否かを判定することを特徴とする請求項１に記載の情報処理装置。
【請求項３】
前記画像形成指示を受け付けたファイルの形式を前記画像形成装置が解釈可能であるか否かを判定する判定手段をさらに備え、
前記判定手段は、
前記画像形成装置の解釈可能な前記ファイルの形式を、該画像形成装置から取得する取得手段を備え、
取得した前記ファイルの形式の中に、前記画像形成指示を受け付けた前記ファイルの形式が含まれるか否かを判定することにより、前記画像形成指示を受け付けた前記ファイルの形式を前記画像形成装置が解釈可能であるか否かを判定することを特徴とする請求項１に記載の情報処理装置。
【請求項４】
前記画像形成指示を受け付けた前記ファイルが前記情報処理装置において編集されているか否かを判定する手段をさらに備え、
前記指示手段は、
前記画像形成指示を受け付けた前記ファイルが編集されている場合は、編集された前記ファイルの形式を前記画像形成装置が解釈可能な形式に変換し、変換したデータを該画像形成装置に送信するとともに画像形成を指示することを特徴とする請求項１乃至３の何れか１項に記載の情報処理装置。
【請求項５】
前記画像形成指示を受け付けた前記ファイルが前記情報処理装置において編集されているか否かを判定する手段をさらに備え、
前記指示手段は、
前記画像形成指示を受け付けた前記ファイルが編集されている場合であって、かつ、前記画像形成装置が前記ファイルの形式を解釈可能である場合には、編集された前記ファイルのデータを前記画像形成装置に送信して、前記画像形成装置に当該データを一時的に保存させるとともに、前記画像形成装置において一時的に保存されたファイルの格納場所を指定して該画像形成装置に画像形成を指示することを特徴とする請求項１乃至３の何れか１項に記載の情報処理装置。
【請求項６】
前記画像形成指示を受け付けた前記ファイルが格納されている画像形成装置のアドレスと、画像形成を指示する対象となる画像形成装置のアドレスとが一致しているか否かを判定する手段をさらに備え、
前記指示手段は、
２つの前記アドレスが一致していない場合は、前記画像形成を指示する対象となる画像形成装置に対して、該画像形成装置が解釈可能な形式に変換したデータを送信するとともに画像形成を指示することを特徴とする請求項１乃至５の何れか１項に記載の情報処理装置。
【請求項７】
画像形成対象となる複数のファイルが格納されたファイルサーバと通信する情報処理装置であって、
前記ファイルサーバに格納されているファイルを画像形成装置に画像形成させるための画像形成指示を受け付ける受付手段と、
前記画像形成装置が前記ファイルの形式を解釈可能である場合に、前記ファイルサーバにおける該ファイルの格納場所を指定して前記画像形成装置に画像形成を指示し、前記画像形成装置が前記ファイルの形式を解釈可能でない場合に、前記画像形成装置が解釈可能な形式に変換したデータを前記画像形成装置に送信するとともに画像形成を指示する指示手段と
を備えることを特徴とする情報処理装置。
【請求項８】
前記ファイルサーバは前記画像形成装置の内部に設けられていることを特徴とする請求項７に記載の情報処理装置。
【請求項９】
前記画像形成指示を受け付けたファイルの形式を前記画像形成装置が解釈可能であるか否かを判定する判定手段と、
前記画像形成装置が解釈可能な前記ファイルの形式を予め記憶した記憶手段とをさらに備え、
前記判定手段は、
前記記憶手段に記憶された前記ファイルの形式の中に、前記画像形成指示を受け付けた前記ファイルの形式が含まれるか否かを判定することにより、前記画像形成指示を受け付けたファイルの形式を前記画像形成装置が解釈可能であるか否かを判定することを特徴とする請求項７又は８に記載の情報処理装置。
【請求項１０】
前記画像形成指示を受け付けたファイルの形式を前記画像形成装置が解釈可能であるか否かを判定する判定手段をさらに備え、
前記判定手段は、
前記画像形成装置の解釈可能な前記ファイルの形式を、該画像形成装置から取得する取得手段を備え、
取得した前記ファイルの形式の中に、前記画像形成指示を受け付けた前記ファイルの形式が含まれるか否かを判定することにより、前記画像形成指示を受け付けた前記ファイルの形式を前記画像形成装置が解釈可能であるか否かを判定することを特徴とする請求項７に記載の情報処理装置。
【請求項１１】
前記画像形成指示を受け付けた前記ファイルが前記情報処理装置において編集されているか否かを判定する手段をさらに備え、
前記指示手段は、
前記画像形成指示を受け付けた前記ファイルが編集されている場合は、編集された前記ファイルの形式を前記画像形成装置が解釈可能な形式に変換し、変換したデータを該画像形成装置に送信するとともに画像形成を指示することを特徴とする請求項７乃至１０の何れか１項に記載の情報処理装置。
【請求項１２】
前記画像形成指示を受け付けた前記ファイルが前記情報処理装置において編集されているか否かを判定する手段をさらに備え、
前記指示手段は、
前記画像形成指示を受け付けた前記ファイルが編集されている場合であって、かつ、前記画像形成装置が前記ファイルの形式を解釈可能である場合には、編集された前記ファイルのデータを前記画像形成装置に送信して、前記画像形成装置に当該データを一時的に保存させるとともに、前記画像形成装置において一時的に保存されたファイルの格納場所を指定して該画像形成装置に画像形成を指示することを特徴とする請求項７乃至１０の何れか１項に記載の情報処理装置。
【請求項１３】
前記画像形成指示を受け付けた前記ファイルが格納されている画像形成装置のアドレスと、画像形成を指示する対象となる画像形成装置のアドレスとが一致しているか否かを判定する手段をさらに備え、
前記指示手段は、
２つの前記アドレスが一致していない場合は、前記画像形成を指示する対象となる画像形成装置に対して、該画像形成装置が解釈可能な形式に変換したデータを送信するとともに画像形成を指示することを特徴とする請求項７乃至１２の何れか１項に記載の情報処理装置。
【請求項１４】
画像形成対象となる複数のファイルが格納された画像形成装置と接続可能な情報処理装置の制御方法であって、
受付手段が、前記画像形成装置に格納されているファイルの画像形成指示を受け付ける受付ステップと、
指示手段が、前記画像形成装置が前記ファイルの形式を解釈可能である場合に、前記画像形成装置における該ファイルの格納場所を指定して画像形成を指示し、前記画像形成装置が前記ファイルの形式を解釈可能でない場合に、前記画像形成装置が解釈可能な形式に変換したデータを送信するとともに画像形成を指示する指示ステップと
を実行することを特徴とする情報処理装置の制御方法。
【請求項１５】
画像形成対象となる複数のファイルが格納された画像形成装置と接続可能な情報処理装置に、
受付手段が、画像形成装置に格納されているファイルの画像形成指示を受け付ける受付ステップと、
指示手段が、前記画像形成装置が前記ファイルの形式を解釈可能である場合に、前記画像形成装置における該ファイルの格納場所を指定して前記画像形成装置に画像形成を指示し、前記画像形成装置が前記ファイルの形式を解釈可能でない場合に、前記画像形成装置が解釈可能な形式に変換したデータを前記画像形成装置に送信するとともに画像形成を指示する指示ステップと
を実行させるためのプログラム。
【請求項１６】
画像形成対象となる複数のファイルが格納されたファイルサーバと通信する情報処理装置に、
受付手段が、前記ファイルサーバに格納されているファイルを画像形成装置に画像形成させるための画像形成指示を受け付ける受付ステップと、
指示手段が、前記画像形成装置が前記ファイルの形式を解釈可能である場合に、前記ファイルサーバにおける該ファイルの格納場所を指定して前記画像形成装置に画像形成を指示し、前記画像形成装置が前記ファイルの形式を解釈可能でない場合に、前記画像形成装置が解釈可能な形式に変換したデータを前記画像形成装置に送信するとともに画像形成を指示する指示ステップと
を実行させるためのプログラム。
【手続補正２】
【補正対象書類名】明細書
【補正対象項目名】発明の名称
【補正方法】変更
【補正の内容】
【発明の名称】情報処理装置、その制御方法、及びプログラム
【手続補正３】
【補正対象書類名】明細書
【補正対象項目名】０００１
【補正方法】変更
【補正の内容】
【０００１】
本発明は、文書等のファイルサーバを有する画像形成装置に接続された情報処理装置、その制御方法、及びプログラムに関するものである。
【手続補正４】
【補正対象書類名】明細書
【補正対象項目名】０００６
【補正方法】変更
【補正の内容】
【０００６】
本発明は、例えば、画像形成対象となる複数のファイルが格納された画像形成装置と接続可能な情報処理装置として実現できる。情報処理装置は、画像形成装置に格納されているファイルの画像形成指示を受け付ける受付手段と、画像形成装置がファイルの形式を解釈可能である場合に、画像形成装置におけるファイルの格納場所を指定して画像形成装置に画像形成を指示し、画像形成装置がファイルの形式を解釈可能でない場合に、画像形成装置が解釈可能な形式に変換したデータを画像形成装置に送信するとともに画像形成を指示する指示手段とを備えることを特徴とする。